(57)【要約】【課題】多発するカードのスキミング、特に非接触によるスキミングに対しての自衛手段として簡便な対応策が強く望まれていた。【解決手段】本発明は少なくとも電磁波遮断層保護の為の保護層と電磁波遮断層と粘着剤層の３つの層を含むスキミング防止シ−トであって、カード入れの外皮の内側及び／又は外側に粘着可能なことを特徴とするスキミング防止シ−トを発明することによって前記課題を解決した。【選択図】図３
2006230976.tif 000002
【特許請求の範囲】
【請求項１】
本発明は少なくとも電磁波遮断層保護の為の保護層と電磁波遮断層と粘着剤層の３つの層を含むスキミング防止シ−トであって、カード入れの外皮の内側及び／又は外側に粘着可能なことを特徴とするスキミング防止シ−ト。
【請求項２】
本発明は少なくとも電磁波遮断層保護の為の保護層と電磁波遮断層と粘着剤層の３つの層を含むスキミング防止シ−トであって、カード入れの外皮の内側及び／又は外側に粘着可能なスキミング防止シ−トにおいて、前記電磁波遮断層に可撓性を有する導電材料を用いることを特徴とするスキミング防止シ−ト。
【請求項３】
本発明は少なくとも電磁波遮断層保護の為の保護層と電磁波遮断層と粘着剤層の３つの層を含むスキミング防止シ−トであって、カード入れの外皮の内側及び／又は外側に粘着可能なスキミング防止シ−トにおいて、前記電磁波遮断層に、導電材料の細線で網状に編まれた可撓性のシートを用いることを特徴とするスキミング防止シ−ト。
【発明の詳細な説明】
【技術分野】
【０００１】本発明はスキミング防止シートに関するもので、とくにカード入れ用のスキミング防止シートに関するものである。
【背景技術】
【０００２】近年、スキミングによるカードからの情報の抜き取り、いわゆるスキミングが多発し、大きな社会問題になっている。現在、一番多く社会に出回っているカードは、情報がカードの裏面に塗布された磁気層に磁気的に記録されたタイプのカードで、スキミングによる犯罪はこのタイプのカードに多く発生している。従来、スキミングは、オリジナルのカードそのものを盗み、このオリジナルのカードのデータをスキミング用の装置を使って抜き取り、この抜き取ったデータを新しいカードに書き込み、この偽造したカードを使って、他人の口座から物品を購入したり、現金を引き出す事によってなされてきた。【０００３】しかし近年、このスキミング技術はより巧妙になり、オリジナルのカードそのものを盗まなくても、カードの近くから、非接触でオリジナルのカードのデータだけを盗み取る技まで現われるに至った。銀行側もこの対策として、より複雑な暗号処理を使ったＩＣカードの導入や、指紋や血管のパターンなどを利用した生体識別法の導入や、また引き出し額にある制限を設けたり、盗難時の金額の一部あるいは全額を補償したりする事が検討されている。
【発明の開示】
【発明が解決しようとする課題】
【０００４】カードの使用者側でもこのスキミング対策としてスキミング防止用の特殊な札入れやカード入れが考案されている。しかし、これらの製品は製作の始めからスキミング防止対策が施されており、一般に高価である。また、カード入れや札入れはデザイン性や従来から使っているという愛着などがあり、容易に新しい物を購入する気持ちにはなりにくい。本発明はかかる状況を鑑みてなされたもので、従来から使用していたカード入れに簡単にスキミング対策を施す事の出来る簡便な方法が望まれていた。またオリジナルのカード入れや札入れのデザイン性を損なうことなく、あるいはオリジナルのカード入れに新しいデザインを加味することの出来、簡単にスキミング対策を施す事の出来る簡便な方法が望まれていた。【０００５】本発明の第一の目的は、従来から使用していたカード入れに簡単にスキミング対策を施す事の出来る、簡便なカード入れ用スキミング防止シートを提供することである。【０００６】本発明の第二の目的は、任意の形状のカード入れの形状に対応出来、スキミング対策を施す事の出来るカード入れ用スキミング防止シートを提供することである。【０００７】本発明の第三の目的は、使用中のカード入れのデザインや感触を変えることなく、スキミング対策を施す事の出来るカード入れ用スキミング防止シートを提供することである。
【発明の開示】
【課題を解決するための手段】
【０００８】本発明は少なくとも、電磁波遮断層保護の為の保護層と電磁波遮断層と粘着剤層の３つの層を含むスキミング防止シ−トであって、カード入れの外皮の内側及び／又は外側に粘着可能なスキミング防止シ−トを発明することによって前記課題を解決した。さらに前記電磁波遮断層に可撓性を有する導電材料を用い、カード入れ全体の可撓性を損なわないようになした。可撓性を有する導電材料としては導電材料の細線で網状に編まれた可撓性のシートを用いることによって前記課題を解決した。導電材料の細線で網状に編まれた可撓性のシートはスキミング防止シ−ト全体の重量や厚みを少なくするのに有効であり、また、繰りかえしの曲げに対しても耐久力がある。【０００９】カードの情報は一般に裏面に塗布された磁気層に記録されている。非接触型のスキミング装置は、外部から、読み取り用によって電磁波信号を発信し、この電磁波信号の受信によってオリジナルのカードから、誘導により発せられる微弱な電磁波信号を外部から読み取る事によってなされる。図１はこの方法を説明する為の図である。図において１はカード、２はカード入れの外皮、３はスキミング装置、４はスキミング装置から発せられる読み取り電磁波信号、５はカード入れの外皮を透過する、カードからの情報を含んだ電磁波信号である。【００１０】そこで、カードを包む空間を電磁波遮断層で包み込めば、この読み取り信号を遮断、あるいは著しく減衰させ、このためオリジナルのカードから発せられる微弱な電磁波信号は発生しないか、あるいは発生しても著しく減衰した電磁波信号となる。従って、オリジナルのカードから、その内容を読み取られる可能性は非常に少なくなるか、あるいは完全に無くなる。図はこの方法を説明する為の図である。図において６はスキミング防止シ−トである。このような構成ではスキミング装置（３）から発せられる、読み取り電磁波信号（４）はスキミング防止シ−ト（６）遮断あるいは著しく減衰される。カード入れの外皮を透過する、カードからの暗号を含んだ電磁波信号（５）は存在しないかあるいは著しく減衰される。図においてスキミング防止シ−ト（６）はカード入れの外皮（２）の内側に粘着されているが、本発明のスキミング防止シ−トをカード入れの外皮（２）の外側に粘着してもこの効果は変わらないこと明らかである。【００１１】図３は本発明のスキミング防止シ−トの構造を示す図（断面図）である。図において７は電磁波遮断層保護の為の保護層、８は接着剤層、９は電磁波遮断層、１０は粘着剤層、１１は台紙である。【００１２】電磁波遮断層保護の為の保護層（７）はカードや紙幣摩擦の破れ、欠け、引っ掻き傷などの機械的な損傷を防ぐのと同時に電磁波遮断層を保護層するための層である。接着剤層（８）は電磁波遮断層（９）と電磁波遮断層保護の為の保護層（７）を接着する為の層である。柔軟性に優れた合成ゴム系の接着剤が望ましい。電磁波遮断層（９）はスキミング装置からの読み取り信号を遮断する為の層である。粘着剤層（１０）は電磁波遮断層（９）をカード入れの外皮の内側及び／又は外側に粘着するための層である。電磁波遮断層保護の為の保護層（７）は可撓性があり、柔軟な布ビニールなどの素材が使用される。電磁波遮断層には導電性材料が使用される。具体的には鉄、銅、などの金属や、これらの金属に銀メッキを施したもの、炭素繊維など導電性材料を混入したプラスチックなどを原材料して、これらを細い繊維状をして布状に編んだものが使用される。このことはカード入れの外皮の自由な変形にたいして、スキミング防止シ−トを追従させる為で、電磁波遮断層も十分な可撓性を備えている事が望ましい。粘着剤層（１０）は再剥離型ウレタン系の粘着剤や、再剥離型のアクリル系エマルジョン型、再剥離型のアクリル系溶剤型の粘着剤が使用される。粘着剤層（１０）も、電磁波遮断層（９）と同様に十分な可撓性を備えている事が望ましい。台紙（１１）は使用する前まで、粘着剤層（１０）が他のものに、粘着するのを避ける為の層で、スキミング防止シ−トの使用時には粘着剤層（１０）より剥がす。電磁波遮断層側の粘着層は電磁波遮断層の網の隙間に入りこむように塗布されており、電磁波遮断層と粘着層は剥がれにくくになっており、一方、台紙側の粘着層は剥離し易くなっている。本発明のスキミング防止シ−トは再使用が可能である。すなわち、使用しているカード入れが古くなったり、破壊された場合には、スキミング防止シ−トを古いカード入れから剥がして、新しいカード入れに再び粘着して使用することができる。【００１３】本発明のスキミング防止シ−トを、台紙を含めてナイフやはさみで適当な大きさに切り取り、台紙を剥がしてカード入れの外皮の内側及び／又は外側に貼り付ければ、２枚のスキミング防止シ−トに挟まれた空間は電磁波を遮蔽し、内部に保持されているカードへの電磁気的なアクセスは不可能となる。
【発明の効果】
【００１４】本発明のスキミング防止シ−トはナイフやはさみで任意の形の簡単に成形する事ができ、どのような形状のカード入れに対しても適応し、スキミング対策を施す事ができる。本発明は誰でも安価に簡単にスキミングを防止できるようになり、実用上極めて有用な発明と思われる。本発明のスキミング防止シ−トは情報がカードの裏面に塗布された磁気層に磁気的に記録されたタイプのカードに対してだけでなく、ＩＣを搭載したＩＣカード対しも有効である。スキミングの防止だけでなく、有害な電磁波に対してＩＣを保護することができる。本発明のスキミング防止シ−トはカード入れだけでなく、磁気記録された他の媒体の保護に対しても広く利用することができる。
【発明を実施する為の最良の形態】
【００１５】本発明の第一の実施の最良の形態は、少なくとも電磁波遮断層保護の為の保護層と電磁波遮断層と粘着剤層の３つの層を含むスキミング防止シ−トであって、カード入れの外皮の内側及び／又は外側に粘着可能なことを特徴とするスキミング防止シ−トに関するものである。
【００１６】本発明の第二の実施の最良の形態は、少なくとも電磁波遮断層保護の為の保護層と電磁波遮断層と粘着剤層の３つの層を含むスキミング防止シ−トであって、カード入れの外皮の内側及び／又は外側に粘着可能なスキミング防止シ−トにおいて、前記電磁波遮断層に可撓性を有する導電材料を用いることを特徴とするスキミング防止シ−トに関するものである。
【００１７】本発明の第三の実施の最良の形態は、少なくとも電磁波遮断層保護の為の保護層と電磁波遮断層と粘着剤層の３つの層を含むスキミング防止シ−トであって、カード入れの外皮の内側及び／又は外側に粘着可能なスキミング防止シ−トにおいて、前記電磁波遮断層に、導電材料の細線で網状に編まれた可撓性のシートを、用いることを特徴とするスキミング防止シ−トに関するものである。
【実施例】
【００１８】図３は前記したように本発明のスキミング防止シ−トを説明するために用いたが、明らかなように、本発明の１実施例である。試作に当たっては、電磁波遮断層保護の為の保護層（７）としては布、接着剤層（８）としては合成ゴム系の接着剤、電磁波遮断層（９）としては銀メッキを施した細い銅線で編んだ網を、粘着剤層（１０）は再剥離型ウレタン系のボンドを使用した。【００１９】カード入れは、カードだけを入れる機能だけのものもあるが、多くは手帳やお札入れと兼用になっていることが多い。図４は本発明の使用例を示す図である。図において１２はカード入れ、１３はカード保持部である。この使用例ではカード入れ（１２）は札入れと兼用になっている。カード（１）は通常、カード保持部（１３）に収納されている。カード入れの外皮（２）の内側には本発明のスキミング防止シ−ト（６）がその粘着剤層によって貼りつけられている。通常この種のカード入れは２つに折りたたまれた形で、ポケットやカバンの中になどに収められている。２つに折りたたまれた状態において、カード（１）はスキミング防止シ−ト（６）に挟み込まれた状態で保持されている。従って非接触型のスキミング装置により、外部から読み取り用の電磁波信号を発信されたとしても、この電磁波信号はスキミング防止シ−トによって遮断され、オリジナルのカードに届く事は無い。
【図面の簡単な説明】
【００２０】
【図１】非接触型のスキミング装置により外部からオリジナルのカードからの情報を盗む方法を説明する為の図。
【図２】図２は非接触型のスキミング装置によりの読み取り電磁波信号を遮断する方法を説明する為の図。
【図３】本発明のスキミング防止シ−トの構造を示す図。
【図４】本発明のスキミング防止シ−トの使用例を示す図。
【符号の説明】
【００２１】  １    カード。
２    カード入れの外皮。
３    スキミング装置。
４    スキミング装置から発せられる読み取り電磁波信号。
５    カード入れの外皮を透過して発せられる、カードからの情報を含む電磁波信号。
６    スキミング防止シート。
７    電磁波遮断層保護の為の保護層。
８    接着剤層。
９    電磁波遮断層。
１０    粘着剤層。
１１    台紙。
１２    カード入れ。
１３    カード保持部。
【図１】
2006230976.tif 000003
【図２】
2006230976.tif 000004
【図３】
2006230976.tif 000005
【図４】
2006230976.tif 000006